(57)【要約】      （修正有）【課題】多数の送受光用の光ファイバの重量が被検者にかかることを軽減できる光ファイバ保持台を提供する。【解決手段】筐体９１の内部に光を出射する発光部と光を検出する光検出部とを備える装置本体９０と、複数本の送光用光ファイバ３０ａからなる送光用光ファイバ群と、複数本の受光用光ファイバ４０ａからなる受光用光ファイバ群と備える光測定装置１に用いられる光ファイバ保持台８０であって、第一棒状部材８１と第二棒状部材８２と第三棒状部材８３とを少なくとも有し、第二棒状部材８２は、第一棒状部材８１の上端部に一端部が取り付けられ、第一棒状部材８１に対する角度が変更保持可能な機構を有し、第三棒状部材８３は、第二棒状部材８２の他端部に一端部が取り付けられ、第二棒状部材８２に対する角度が変更保持可能な機構を有する。【選択図】図３
0003183128.tif 000002
【実用新案登録請求の範囲】
【請求項１】
被検者の頭皮表面上に配置される複数個の送光プローブと、
当該頭皮表面上に配置される複数個の受光プローブと、
筐体を有し、当該筐体の内部に光を出射する発光部と当該光を検出する光検出部とを備える装置本体と、
複数本の送光用光ファイバからなる送光用光ファイバ群と、
複数本の受光用光ファイバからなる受光用光ファイバ群と備え、
１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置に用いられる光ファイバ保持台であって、
第一棒状部材と第二棒状部材と第三棒状部材とを少なくとも有し、
前記第二棒状部材は、前記第一棒状部材の上端部に一端部が取り付けられ、当該一端部に前記第一棒状部材に対する角度が変更保持可能な機構を有し、
前記第三棒状部材は、前記第二棒状部材の他端部に一端部が取り付けられ、当該一端部に前記第二棒状部材に対する角度が変更保持可能な機構を有することを特徴とする光ファイバ保持台。
【請求項２】
前記送光用光ファイバ群及び前記受光用光ファイバ群は、前記第二棒状部材の側壁及び前記第三棒状部材の側壁に沿うように取り付けられるようになっていることを特徴とする請求項１に記載の光ファイバ保持台。
【請求項３】
前記第一棒状部材は、上下方向に伸縮可能な機構を有し、
前記第一棒状部材の下端部には、車輪が形成されていることを特徴とする請求項１又は請求項２に記載の光ファイバ保持台。
【請求項４】
被検者の頭皮表面上に配置される複数個の送光プローブと、
当該頭皮表面上に配置される複数個の受光プローブと、
筐体を有し、当該筐体の内部に光を出射する発光部と当該光を検出する光検出部とを備える装置本体と、
複数本の送光用光ファイバからなる送光用光ファイバ群と、
複数本の受光用光ファイバからなる受光用光ファイバ群と備え、
１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置であって、
第一棒状部材と第二棒状部材と第三棒状部材とを少なくとも有する光ファイバ保持台を備え、
前記第二棒状部材は、前記第一棒状部材の上端部に一端部が取り付けられ、当該一端部に前記第一棒状部材に対する角度が変更保持可能な機構を有し、
前記第三棒状部材は、前記第二棒状部材の他端部に一端部が取り付けられ、当該一端部に前記第二棒状部材に対する角度が変更保持可能な機構を有することを特徴とする光測定装置。
【考案の詳細な説明】
【技術分野】
【０００１】
本考案は、光ファイバ保持台及びそれを備える光測定装置に関し、さらに詳細には、光を用いて被検者の内部における測定部位に関する受光量情報を得る光脳機能イメージング装置に関する。
【背景技術】
【０００２】
近年、脳の活動状況を観察するために、光を用いて簡便に非侵襲で測定する光脳機能イメージング装置が開発されている。このような光脳機能イメージング装置では、被検者の頭皮表面上に配置した送光プローブにより、異なる３種類の波長λ１、λ２、λ３（例えば、７８０ｎｍと８０５ｎｍと８３０ｎｍ）の近赤外光を脳に照射するとともに、頭皮表面上に配置した受光プローブにより、脳から放出された各波長λ１、λ２、λ３の近赤外光の強度変化（受光量情報）ΔＡ（λ１）、ΔＡ（λ２）、ΔＡ（λ３）をそれぞれ検出する。
そして、このようにして得られた受光量情報ΔＡ（λ１）、ΔＡ（λ２）、ΔＡ（λ３）から、脳血流中のオキシヘモグロビンの濃度変化・光路長積[oxyHb]と、デオキシヘモグロビンの濃度変化・光路長積[deoxyHb]とを求めるために、例えばModified Beer Lambert則を用いて関係式（１）（２）（３）に示す連立方程式を作成して、この連立方程式を解いている。さらには、オキシヘモグロビンの濃度変化・光路長積[oxyHb]と、デオキシヘモグロビンの濃度変化・光路長積[deoxyHb]とから総ヘモグロビンの濃度変化・光路長積（[oxyHb]＋[deoxyHb]）を算出している。
ΔＡ（λ１）＝ＥＯ（λ１）×[oxyHb]＋Ｅｄ（λ１）×[deoxyHb]・・・（１）
ΔＡ（λ２）＝ＥＯ（λ２）×[oxyHb]＋Ｅｄ（λ２）×[deoxyHb]・・・（２）
ΔＡ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。
【０００３】
ここで、送光プローブと受光プローブとの間の距離と、測定部位との関係について説明する。図４は、一対の送光プローブ及び受光プローブと、測定部位との関係を示す図である。送光プローブ１２が被検者の頭皮表面の送光点Ｔに押し当てられるとともに、受光プローブ１３が被検者の頭皮表面の受光点Ｒに押し当てられる。そして、送光プローブ１２から光を照射させるとともに、受光プローブ１３に頭皮表面から放出される光を入射させる。このとき、頭皮表面の送光点Ｔから照射された光のうちで、バナナ形状（測定領域）を通過した光が頭皮表面の受光点Ｒに到達する。これにより、測定領域の中でも、特に送光点Ｔと受光点Ｒとを被検者の頭皮表面に沿って最短距離で結んだ線の中点Ｍから、送光点Ｔと受光点Ｒとを被検者の頭皮表面に沿って最短距離で結んだ線の距離の半分の深さである被検者の測定部位Ｓに関する受光量情報ΔＡ（λ１）、ΔＡ（λ２）、ΔＡ（λ３）が得られるとしている。
【０００４】
また、光脳機能イメージング装置では、脳の複数箇所の測定部位に関するオキシヘモグロビンの濃度変化・光路長積[oxyHb]、デオキシヘモグロビンの濃度変化・光路長積[deoxyHb]及び総ヘモグロビンの濃度変化・光路長積（[oxyHb]＋[deoxyHb]）をそれぞれ測定することが行われている（例えば、特許文献１参照）。図５は、従来の光脳機能イメージング装置の概略構成の一例を示すブロック図である。また、図６は、非使用時の光脳機能イメージング装置の外観の一例を示す斜視図であり、図７は、測定時の光脳機能イメージング装置の外観の一例を示す斜視図である。なお、見やすくするために、数本の送光用光ファイバと数本の受光用光ファイバとを省略している。
【０００５】
光脳機能イメージング装置１０１は、筐体９１を有する装置本体９０と、被検者の頭皮表面に装着するホルダ１０と、Ｓ個の送光プローブ１２と、Ｔ個の受光プローブ１３と、Ｓ本の送光用光ファイバ３０ａからなる送光用光ファイバ群３０と、Ｔ本の受光用光ファイバ４０ａからなる受光用光ファイバ群４０と、送光用光ファイバ群３０及び受光用光ファイバ群４０が係止される光ファイバ保持台１８０とにより構成される。
【０００６】
装置本体９０は、筐体９１の内部に、近赤外光を出射する発光部２と、受光量情報ΔＡｎ（λｍ）を検出する光検出部３と、光脳機能イメージング装置１０１全体の制御を行うコンピュータ２０とを備えるとともに、筐体９１の外部に、表示装置２３及び入力装置２２と、４個の車輪９２とを備える。なお、コンピュータ２０は、ＣＰＵ２１とメモリ２５とを備え、モニタ画面２３ａ等を有する表示装置２３と、キーボード２２ａやマウス２２ｂ等を有する入力装置２２とが連結されている。
【０００７】
送光用光ファイバ３０ａと受光用光ファイバ４０ａとは、例えば直径２ｍｍ、長さ２ｍ〜１０ｍの管状であり、近赤外光を軸方向に伝達することができ、一端部から入射した近赤外光が、内部を通過して他端部から出射したり、他端部から入射した近赤外光が、内部を通過して一端部から出射するようになっている。そして、１本の送光用光ファイバ３０ａは、１個の送光プローブ１２と、筐体９１の内部の発光部２とを設定長さ（２ｍ〜１０ｍ）で離隔するように両端部に接続している。また、１本の受光用光ファイバ４０ａは、１個の受光プローブ１３と、筐体９１の内部の光検出部３とを設定長さ（２ｍ〜１０ｍ）で離隔するように両端部に接続している。
【０００８】
図８は、送光プローブ（受光プローブ）の一例を示す斜視図であり、図９は、ホルダの一例を示す斜視図である。送光プローブ１２は円筒形状であり、その外周面は、ホルダ１０の貫通孔１０ａに固定できるようになっており、その内周面には、送光用光ファイバ３０ａの一端部が挿入されている。これにより、送光用光ファイバ３０ａの他端部が、発光部２と接続されているので、送光用光ファイバ３０ａの他端部から入射した近赤外光が、送光用光ファイバ３０ａの内部を通過して送光用光ファイバ３０ａの一端部（送光プローブの先端）から出射することができるようになっている。また、受光プローブ１３も、送光プローブ１２と同様の構造をしており、円筒形状であって、その外周面は、ホルダ１０の貫通孔１０ａに固定できるようになっており、その内周面には、受光用光ファイバ４０ａの一端部が挿入されている。これにより、受光用光ファイバ４０ａの他端部が、光検出部３と接続されているので、受光用光ファイバ４０ａの一端部（受光プローブの先端部）から入射した近赤外光が、受光用光ファイバ４０ａの内部を通過して受光用光ファイバ４０ａの他端部から出射することができるようになっている。
【０００９】
このようなＳ個の送光プローブ１２とＴ個の受光プローブ１３とを所定の配列で被検者の頭皮表面に接触させるために、ホルダ１０が使用されている。ホルダ１０には、（Ｓ＋Ｔ）個の貫通孔１０ａが行方向と列方向とに各３０ｍｍの間隔をあけて形成されている。そして、測定を行う際には、Ｓ個の送光プローブ１２とＴ個の受光プローブ１３とが、ホルダ１０の貫通孔１０ａに、行方向と列方向とに交互となるように挿入されることになる。このとき、ホルダ１０のどの貫通孔１０ａに、どの送光プローブ１２又は受光プローブ１３が挿入されたかが認識されるように、各貫通孔１０ａには、異なる番号がそれぞれ振り当てられているとともに、各送光プローブ１２と各受光プローブ１３とにも、異なる番号がそれぞれ振り当てられている。そして、各送光プローブ１２と各受光プローブ１３とは、対応する番号の各貫通孔１０ａにそれぞれ挿入されることになる。
【００１０】
図１０は、Ｓ個の送光プローブとＴ個の受光プローブとの位置関係の一例を示す図である。なお、図において送光プローブ１２を丸で示し、受光プローブ１３を四角で示す。このようにＳ個の送光プローブとＴ個の受光プローブとを配置して、順番に１個ずつ送光プローブ１２から光を照射させるとともに、Ｔ個の受光プローブ１３に頭皮表面から放出される光を入射させることによって、Ｎ箇所の測定部位に関する受光量情報ΔＡｎ（λ１）、ΔＡｎ（λ２）、ΔＡｎ（λ３）（ｎ＝１、２、・・・、Ｎ）を得ている。
【００１１】
そして、Ｎ個の受光量情報ΔＡｎ（λ１）、ΔＡｎ（λ２）、ΔＡｎ（λ３）を所定時間間隔Δｔで得ていくことで、関係式（１）（２）（３）を用いて、オキシヘモグロビンの濃度変化・光路長積[oxyHb]の経時変化Ｘｎ（ｔ）、デオキシヘモグロビンの濃度変化・光路長積[deoxyHb]の経時変化Ｙｎ（ｔ）及び総ヘモグロビンの濃度変化・光路長積（[oxyHb]＋[deoxyHb]）の経時変化Ｚｎ（ｔ）（ｎ＝１、２、・・・、Ｎ）を求めている。
【００１２】
ところで、上述したようなホルダを用いて脳の活動状況の測定を行う際には、Ｓ本の送光用光ファイバ３０ａの重量とＴ本の受光用光ファイバ４０ａの重量が被検者にかかることになるため、これを軽減するために、光ファイバ保持台１８０が使用されている。光ファイバ保持台１８０は、上下方向に伸びた長さ２ｍの上下円筒状部材１８１と、円筒状部材１８１の上部に形成された水平方向に伸びた長さ０．５ｍの水平円筒状部材１８２と、上下円筒状部材１８１の下部に形成された４個の車輪１８３とを備える。これにより、光ファイバ保持台１８０を被検者の傍に配置し、Ｓ本の送光用光ファイバ３０ａとＴ本の受光用光ファイバ４０ａとを水平円筒状部材１８２に係止した後、ホルダ１０に固定し、その状態で脳の活動状況の測定を行っている（図７参照）。
【先行技術文献】
【特許文献】
【００１３】
【特許文献１】特開２００６−１０９９６４号公報
【考案の概要】
【考案が解決しようとする課題】
【００１４】
しかしながら、上述したような光ファイバ保持台１８０を用いても、全頭のような広範囲を計測する場合や、空間分解能を上げるべく高密度に配置する場合には、多数の送光用光ファイバ３０ａと多数の受光用光ファイバ４０ａとをホルダ１０に固定する必要があり、被検者の首や肩等に負担がかかるという問題点があった。また、多数の送光用光ファイバ３０ａの重量と多数の受光用光ファイバ４０ａの重量とが被検者にストレスになることでアーティファクトが発生し、脳計測に影響をもたらすこともあった。
そこで、本考案は、多数の送光用光ファイバの重量と多数の受光用光ファイバの重量とが被検者にかかることを軽減することができる光ファイバ保持台及びそれを備える光測定装置を提供することを目的とする。
【課題を解決するための手段】
【００１５】
上記課題を解決するためになされた本考案の光ファイバ保持台は、被検者の頭皮表面上に配置される複数個の送光プローブと、当該頭皮表面上に配置される複数個の受光プローブと、筐体を有し、当該筐体の内部に光を出射する発光部と当該光を検出する光検出部とを備える装置本体と、複数本の送光用光ファイバからなる送光用光ファイバ群と、複数本の受光用光ファイバからなる受光用光ファイバ群と備え、１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置に用いられる光ファイバ保持台であって、第一棒状部材と第二棒状部材と第三棒状部材とを少なくとも有し、前記第二棒状部材は、前記第一棒状部材の上端部に一端部が取り付けられ、当該一端部に前記第一棒状部材に対する角度が変更保持可能な機構を有し、前記第三棒状部材は、前記第二棒状部材の他端部に一端部が取り付けられ、当該一端部に前記第二棒状部材に対する角度が変更保持可能な機構を有することを特徴としている。
【００１６】
ここで、「設定長さ」とは、任意の長さであり、送光用光ファイバが接続された送光プローブ等が、被検者の頭皮表面に装着されたホルダ等に挿入するために必要な距離となり、例えば２ｍ以上１０ｍ以下となる。
本考案の光ファイバ保持台によれば、第二棒状部材は、第一棒状部材に対する角度が変更保持可能となっており、第三棒状部材は、第二棒状部材に対する角度が変更保持可能となっている。よって、第三棒状部材の他端部は、被検者の頭上に配置することができる。これにより、多数の送光用光ファイバと多数の受光用光ファイバとを、例えば、第二棒状部材の側壁と第三棒状部材の側壁とに沿うように取り付けることで、被検者の頭上付近までの多数の送光用光ファイバの重量と多数の受光用光ファイバの重量とを光ファイバ保持台に吸収させることができる。
【考案の効果】
【００１７】
以上のように、本考案の光ファイバ保持台によれば、多数の送光用光ファイバの重量と多数の受光用光ファイバの重量とが被検者にかかることを軽減することができる。
【００１８】
（その他の課題を解決するための手段及び効果）
また、本考案の光ファイバ保持台においては、前記送光用光ファイバ群及び前記受光用光ファイバ群は、前記第二棒状部材の側壁及び前記第三棒状部材の側壁に沿うように取り付けられるようになっているようにしてもよい。
【００１９】
さらに、本考案の光ファイバ保持台においては、前記第一棒状部材は、上下方向に伸縮可能な機構を有し、前記第一棒状部材の下端部には、車輪が形成されているようにしてもよい。
【００２０】
そして、本考案の光測定装置は、被検者の頭皮表面上に配置される複数個の送光プローブと、当該頭皮表面上に配置される複数個の受光プローブと、筐体を有し、当該筐体の内部に光を出射する発光部と当該光を検出する光検出部とを備える装置本体と、複数本の送光用光ファイバからなる送光用光ファイバ群と、複数本の受光用光ファイバからなる受光用光ファイバ群と備え、１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置であって、第一棒状部材と第二棒状部材と第三棒状部材とを少なくとも有する光ファイバ保持台を備え、前記第二棒状部材は、前記第一棒状部材の上端部に一端部が取り付けられ、当該一端部に前記第一棒状部材に対する角度が変更保持可能な機構を有し、前記第三棒状部材は、前記第二棒状部材の他端部に一端部が取り付けられ、当該一端部に前記第二棒状部材に対する角度が変更保持可能な機構を有することを特徴としている。
【図面の簡単な説明】
【００２１】
【図１】本考案に係る光脳機能イメージング装置の概略構成例を示すブロック図。
【図２】図１に示す装置の非使用時の外観の一例を示す斜視図。
【図３】図１に示す装置の測定時の外観の一例を示す斜視図。
【図４】一対の送光プローブ及び受光プローブと、測定部位との関係を示す図。
【図５】従来の光脳機能イメージング装置の概略構成例を示すブロック図。
【図６】図５に示す装置の非使用時の外観の一例を示す斜視図。
【図７】図５に示す装置の測定時の外観の一例を示す斜視図。
【図８】送光（受光）プローブの一例を示す斜視図。
【図９】ホルダの一例を示す斜視図。
【図１０】Ｓ個の送光プローブとＴ個の受光プローブとの位置関係の一例を示す図。
【考案を実施するための形態】
【００２２】
以下、本考案の実施形態について図面を用いて説明する。なお、本考案は、以下に説明するような実施形態に限定されるものではなく、本考案の趣旨を逸脱しない範囲で種々の態様が含まれる。
【００２３】
図１は、本考案に係る光脳機能イメージング装置の概略構成の一例を示すブロック図である。また、図２は、非使用時の光脳機能イメージング装置の外観の一例を示す斜視図であり、図３は、測定時の光脳機能イメージング装置の外観の一例を示す斜視図である。なお、光脳機能イメージング装置１０１と同様のものについては、同じ符号を付している。
光脳機能イメージング装置１は、筐体９１を有する装置本体９０と、被検者の頭皮表面に装着させるホルダ１０と、Ｓ個の送光プローブ１２と、Ｔ個の受光プローブ１３と、Ｓ本の送光用光ファイバ３０ａからなる送光用光ファイバ群３０と、Ｔ本の受光用光ファイバ４０ａからなる受光用光ファイバ群４０と、送光用光ファイバ群３０及び受光用光ファイバ群４０が係止される光ファイバ保持台８０とにより構成される。
【００２４】
光ファイバ保持台８０は、第一棒状部材８１と第二棒状部材８２と第三棒状部材８３とを有する。
第一棒状部材８１は、上下方向に伸びた長さ０．５〜１ｍの円柱状部材８１ａと、円柱状部材８１ａが内部に挿入されることが可能な長さ０．５〜１ｍの円筒状部材８１ｂと、円柱状部材８１ａの下端部に形成された４個の車輪８１ｃとを備える。そして、円筒状部材８１ｂは、円柱状部材８１ａに対して上方に引き出してピン等８１ｄによって高さを保持することが可能となっている。すなわち第一棒状部材８１は長さ０．５ｍから２ｍまでの間で伸縮可能となっている。
【００２５】
第二棒状部材８２は長さ０．５〜１ｍの円筒状部材である。そして、第二棒状部材８２の一端部は、円筒状部材８１ｂの上端部に、角度変更保持機構（関節）８２ａを介して取り付けられている。これにより、第二棒状部材８２は、角度変更保持機構８２ａによって円筒状部材８１ｂに対する角度を変更保持することが可能となっている。なお、上記の角度変更保持機構としては、公知のものでよく、第二棒状部材８２は円筒状部材８１ｂに対してある平面で０°から３６０°までの任意の角度や数段階の角度に調整できればよく、例えば電気スタンド等に用いられる角度変更保持機構等が挙げられる。
【００２６】
第三棒状部材８３は長さ０．５〜１ｍの円筒状部材である。そして、第三棒状部材８３の一端部は、第二棒状部材８２の上端部（他端部）に、角度変更保持機構（関節）８３ａを介して取り付けられている。これにより、第三棒状部材８３は、角度変更保持機構８３ａによって第二棒状部材８２に対する角度を変更保持することが可能となっている。なお、上記の角度変更保持機構としては、公知のものでよく、第三棒状部材８３は第二棒状部材８２に対してある平面で０°から３６０°までの任意の角度や数段階の角度に調整できればよく、例えば電気スタンド等に用いられる角度変更保持機構等が挙げられる。また、第二棒状部材８２に対して第三棒状部材８３の角度が調整できる平面は、円筒状部材８１ｂに対して第二棒状部材８２の角度が調整できる平面と同一の平面となることが好ましい。
【００２７】
このような光ファイバ保持台８０によれば、まず、医師や検査技師等は、光ファイバ保持台８０を被検者の傍に配置する。次に、医師や検査技師等は、円筒状部材８１ｂを円柱状部材８１ａに対して所望の長さだけ上方へ引き出して、ピン等８１ｄにより保持することで高さを調整する。次に、医師や検査技師等は、第二棒状部材８２を円筒状部材８１ｂに対して所望の角度で折り曲げ、さらに第三棒状部材８３を第二棒状部材８２に対して所望の角度で折り曲げて、第三棒状部材８３の他端部の位置を被検者の頭上に配置する。次に、医師や検査技師等は、送光用光ファイバ群３０と受光用光ファイバ群４０とを、第二棒状部材８２の側壁と第三棒状部材８３の側壁とに沿うようにテープ８５等を用いて固定する。そして、医師や検査技師等は、Ｓ個の送光プローブ１２とＴ個の受光プローブ１３とをホルダ１０の貫通孔１０ａに挿入する。そして、この状態で脳の活動状況の測定を行う（図３参照）。
【００２８】
以上のように、本考案の光脳機能イメージング装置１によれば、多数の送光用光ファイバ３０ａの重量と多数の受光用光ファイバ４０ａの重量とが被検者にかかることを軽減することができる。
【００２９】
＜他の実施形態＞
（１）上述した光ファイバ保持台８０において、光ファイバ保持台８０は、第一棒状部材８１と第二棒状部材８２と第三棒状部材８３とを有する構成としたが、第一棒状部材と第二棒状部材と第三棒状部材と第四棒状部材とを有するような構成としてもよい。すなわち、３段階で角度が変更保持可能になっていてもよく、また４段階以上で角度が変更保持可能になっていてもよい。
【００３０】
（２）上述した光ファイバ保持台８０において、送光用光ファイバ群３０と受光用光ファイバ群４０とを、第二棒状部材８２の側壁と第三棒状部材８３の側壁とに沿うようにテープ８５等を用いて固定する構成としたが、第一棒状部材の側壁や第二棒状部材の側壁や第三棒状部材の側壁等に、送光用光ファイバ群や受光用光ファイバ群を引っかけるためのフック等を形成したような構成としてもよい。
【産業上の利用可能性】
【００３１】
本考案は、非侵襲で脳活動を測定する光脳機能イメージング装置等に利用することができる。
【符号の説明】
【００３２】
１、１０１：光脳機能イメージング装置（光測定装置）
２：発光部
３：光検出部
１０：ホルダ
１２：送光プローブ
１３：受光プローブ
２０：コンピュータ
３０：送光用光ファイバ群
３０ａ：送光用光ファイバ
４０：受光用光ファイバ群
４０ａ：受光用光ファイバ
８０：光ファイバ保持台
８１：第一棒状部材
８２：第二棒状部材
８３：第三棒状部材
９０：装置本体
９１：筐体
【図１】
0003183128.tif 000003
【図２】
0003183128.tif 000004
【図３】
0003183128.tif 000005
【図４】
0003183128.tif 000006
【図５】
0003183128.tif 000007
【図６】
0003183128.tif 000008
【図７】
0003183128.tif 000009
【図８】
0003183128.tif 000010
【図９】
0003183128.tif 000011
【図１０】
0003183128.tif 000012